(57)【特許請求の範囲】
【請求項１】
放送中の番組コンテンツと、その番組コンテンツの特殊再生のためのトリガー情報と、前記放送中の番組コンテンツとインデックスとを関連づけたインデックス情報とを受信する受信部と、
前記各番組コンテンツと前記トリガー情報と前記インデックス情報とを蓄積する蓄積部と、
前記放送中または前記蓄積された番組コンテンツの前記トリガー情報を解釈し、特殊再生のためのモード情報を出力するとともに、前記インデックス情報を解釈するメタデータ解釈部と、
前記トリガー情報の内容により前記インデックス情報を用いて前記番組コンテンツの少なくとも一部を抽出し、抽出した番組コンテンツを前記モード情報に基づいて再構成し、再構成した番組コンテンツを出力する蓄積映像処理部と、を備えた蓄積表示装置であり、
前記蓄積映像処理部は、前記再構成した番組コンテンツに対して、さらに前記番組コンテンツとは別の画像として表示されるスーパーインポーズ情報を付加し、表示させることを特徴とする蓄積表示装置。
【請求項２】
前記スーパーインポーズ情報は、トリガー情報の意味情報、モード情報、インデックス情報の意味情報のうちの任意の情報を用いて生成されることを特徴とする請求項１記載の蓄積表示装置。
【請求項３】
放送中の番組コンテンツと、その番組コンテンツの特殊再生のためのトリガー情報と、前記放送中の番組コンテンツとインデックスとを関連づけたインデックス情報とを受信する受信部と、
前記各番組コンテンツと前記トリガー情報と前記インデックス情報とを蓄積する蓄積部と、
前記放送中または前記蓄積された番組コンテンツの前記トリガー情報を解釈し、特殊再生のためのモード情報を出力するとともに、前記インデックス情報を解釈するメタデータ解釈部と、
前記トリガー情報の内容により前記インデックス情報を用いて前記番組コンテンツの少なくとも一部を抽出し、抽出した番組コンテンツを前記モード情報に基づいて再構成し、再構成した番組コンテンツを出力する蓄積映像処理部と、を備えた蓄積表示装置であり、
前記トリガー情報にはさらに、前記インデックス情報に関連づけられた番組コンテンツの内容をキーワードレベルで記述した意味情報と、前記意味情報を番組コンテンツの重要度に応じて重みを指数化した点数化指標情報とが含まれることを特徴とする蓄積表示装置。
【請求項４】
前記トリガー情報に該当番組コンテンツを蓄積することを指示する蓄積指示情報を含むことを特徴とする請求項３記載の蓄積表示装置。
【発明の詳細な説明】
【技術分野】
【０００１】  本発明は、放送局より送信されるデジタル放送データ及び、本放送とは別に提供される情報または、以前の放送や別に提供された情報を蓄積し、表示する蓄積表示装置に関し、特に蓄積表示装置とユーザの近くで利用する副表示装置である携帯情報端末と連動して表示する蓄積表示装置及び連動表示方法並びにシステムに関するものである。
【背景技術】
【０００２】  近年、テレビ放送において日本でもＢＳ、ＣＳ（放送衛星）を用いたデジタル放送が行われ、２００３年末から地上波デジタル放送も行なわれている。デジタル放送によって大容量のデータ伝送が可能となりアナログ放送に比べて多数のチャンネルの放送が可能になると同時に映像、音声情報以外に各種情報の放送も可能となった。この各種情報には番組表や番組に関する属性情報やパーソナルコンピュータ用のデータなどがあげられる。ユーザは映像、音声情報を視聴するだけでなく、これらの各種情報を用いたサービスを受けることが可能となった。さらに、ＡＤＳＬ等の爆発的な普及によりインターネットのコンテンツも各家庭に浸透し、インターネットを情報源として利用するだけでなく動画も楽しめるようになった。こういった背景により放送とインターネットの境はいっそうなくなり放送の属性情報を用いるなどして放送とインターネット双方を連動させて楽しむことが出来るようになった。（例えば、特許文献１参照。）【０００３】  さらにデータ放送の普及や携帯情報端末の普及により放送やインターネットの楽しみ方も多種多様化してきており（例えば、特許文献２参照。）同時に２つの関連した情報を視聴することもユーザに受け入れられるようになってきた。【０００４】  また、ワイヤレス液晶テレビの普及により大画面で据え置き型のテレビとワイヤレス液晶テレビを利用した視聴形態も現実のものとなってきた。
【特許文献１】特開平１１−１９６３４５号公報
【特許文献２】特開２００２−２４７４７２号公報
【発明の開示】
【発明が解決しようとする課題】
【０００５】  しかしながら上記従来技術では、リアルタイムで放送中の番組のリプレイやハイライトを別の機器で視聴することは出来なかった。
本発明は、主表示装置である蓄積表示装置と副表示装置である携帯情報端末において、蓄積表示装置で視聴中の番組のリプレイやハイライトを携帯情報端末にて表示することを目的とする。さらに、そのハイライトやリプレイは放送局の意図する映像を放送局の意図するタイミングで表示する。
【課題を解決するための手段】
【０００６】  上記の課題を解決するために、本発明の蓄積表示装置は、放送中の番組コンテンツと、その番組コンテンツの特殊再生のためのトリガー情報を受信する受信部と、前記各番組コンテンツを蓄積する蓄積手段と、前記放送中または前記蓄積された番組コンテンツのトリガー情報を解釈し、特殊再生のためのモード情報を出力するメタデータ解釈部と、前記トリガー情報からのモード情報により前記蓄積された番組コンテンツの少なくとも一部を抽出し、再構成し、再構成した番組コンテンツを出力する蓄積映像処理部とを具備する。【０００７】  また、本発明の蓄積表示装置は、放送中の番組コンテンツと、その番組コンテンツの特殊再生のためのトリガー情報を受信する受信部と、前記各番組コンテンツを蓄積する蓄積手段と、前記放送中または前記蓄積された番組コンテンツのトリガー情報を解釈し、特殊再生のためのモード情報を出力するメタデータ解釈部と、前記トリガー情報からのモード情報により前記蓄積された番組コンテンツの少なくとも一部を抽出し、再構成し、再構成した番組コンテンツを出力する蓄積映像処理部とを具備する。この蓄積表示装置において、前記受信部は放送中の番組のインデックス情報をさらに受信し、前記蓄積手段は、さらに前記インデックス情報を蓄積し、前記メタデータ解釈部は、さらに前記インデックス情報を解釈し、前記蓄積映像処理部は、さらに前記トリガー情報の内容により前記蓄積手段からインデックス情報とともに番組コンテンツの少なくとも一部を抽出し再構成し、前記蓄積映像処理部において再構成した番組コンテンツを前記携帯情報端末へ送付して表示する。【０００８】  また本発明の蓄積表示装置は、携帯情報端末を管理する携帯情報端末管理部を有し、メタデータ解釈部は、放送波や通信ネットワークなどによって送られてくるメタデータから現在視聴中の番組のインデックス情報及びトリガー情報を抽出し、前記インデックス情報は番組コンテンツと紐付けて蓄積し前記トリガー情報は携帯情報端末管理部からの情報と照らし合わせ、使用することになれば前記インデックス情報を基に前記トリガー情報に書かれた部分的な前記番組コンテンツを抽出し蓄積映像処理部へ渡す。蓄積映像処理部は、現在視聴中の前記番組コンテンツを蓄積し、前記メタデータ解釈部からの指示で送られてくる前記トリガー情報、前記インデックス情報及び前記部分番組コンテンツを受け取り前記トリガー情報及び前記インデックス情報の内容から部分コンテンツを加工、再構成し該当する前記携帯情報端末へ送る動作を行う。【０００９】  また、本発明は、前記メタデータ解釈部が現在視聴中の前記番組のメタデータに含まれる番組情報を抽出、加工し前記携帯情報端末管理部に登録されている前記携帯情報端末へ送る。【００１０】  また、本発明は、前記トリガー情報に現在視聴中の前記番組コンテンツと関連する番組コンテンツの蓄積指示情報を含むことと、前記トリガー情報の指示するインデックス情報は現在視聴中の前記番組コンテンツと関連する前記番組コンテンツをも含むものである。【００１１】  また、本発明は、前記メタデータ解釈部が前記携帯情報端末からの操作入力を受け取り、前記蓄積映像処理部へ部分番組コンテンツの再構成を指示することによって前記携帯情報端末でのビデオ操作を実現する。【００１２】  また、本発明は、前記蓄積表示装置はホームサーバのように視聴にかかわらずすべての番組を蓄積もしくは事前に前記携帯情報端末からの登録されたものを蓄積し、前記携帯情報端末に前記トリガー情報をもとに部分番組コンテンツを送る。
【発明の効果】
【００１３】  以上のように本発明によれば、蓄積表示装置で視聴中の番組の過去のシーンを別の機器でハイライトやリプレイのような形で見ることが出来る。さらに、別の機器では過去のシーンのみならず現在視聴中の番組の情報や関連する番組をＴＶ視聴の形態である受身で視聴することが出来る。【００１４】  また、外出時など、現在放送中で視聴していない番組の注目シーンやダイジェストを別の手元の機器でリアルタイムに視聴することが出来る。【００１５】  本発明の上記目的及び利点は添付図面を参照して説明される、以下の実施例によってより一層明らかになるであろう。
【図面の簡単な説明】
【００１６】
【図１】本発明の第１の実施の形態に係る連動表示システムの全体構成を示すブロック図
【図２】上記第１の実施の形態におけるデバイス構成図
【図３】上記第１の実施の形態におけるメタデータ解釈部の処理フロー図
【図４】上記第１の実施の形態における蓄積映像処理部の処理フロー図
【図５】上記第１の実施の形態におけるインデックス情報の項目例を示す図
【図６】上記第１の実施の形態におけるインデックス情報の記述例を示す図
【図７】上記第１の実施の形態におけるトリガー情報の項目例を示す図
【図８】上記第１の実施の形態におけるトリガー情報の記述例を示す図
【図９】上記第１の実施の形態における携帯情報端末管理部が管理する携帯情報端末のデータ構造例を示す図
【図１０】本発明の第３の実施の形態に係る連動表示システムの全体構成を示すブロック図
【図１１】上記第３の実施の形態におけるトリガー情報の項目例を示す図
【図１２】上記第３の実施の形態におけるトリガー情報の記述例を示す図
【図１３】本発明の第４の実施の形態に係る連動表示システムの全体構成を示すブロック図
【図１４】上記第４の実施の形態における携帯情報端末管理部が管理する携帯情報端末のデータ構造例を示す図
【図１５】携帯情報端末におけるモード一覧提示例を示す図
【図１６】携帯情報端末におけるトリックプレイ提示例を示す図
【図１７】携帯情報端末におけるメニュー提示例を示す図
【図１８】本発明の第５の実施の形態における蓄積映像処理部の処理フロー図
【図１９】上記第５の実施の形態におけるインデックス情報の項目例を示す図
【図２０】上記第５の実施の形態におけるインデックス情報の記述例を示す図
【図２１】上記第５の実施の形態におけるトリガー情報の項目例を示す図
【図２２】上記第５の実施の形態におけるトリガー情報の記述例を示す図
【図２３】上記第６の実施の形態におけるトリガー情報の項目例を示す図
【図２４】上記第６の実施の形態におけるトリガー情報の記述例を示す図
【図２５】番組情報データの一例を示す図
【符号の説明】
【００１７】１  据え置き型表示装置
１０  インデックス情報
１１  番組ＩＤ
１２  インデックスＩＤ
１３  ｓｔａｒｔｔｉｍｅ
１４  ｆｉｎｉｓｈｔｉｍｅ
１５  トリガー情報
１６  モード情報
１７  指定インデックスＩＤ
１８  ｔｏｔａｌｔｉｍｅ
１９  携帯情報端末管理情報
２０  端末ＩＤ
２１  所持者
２２  接続状況
２３  使用者
２４  性能
２５  モード情報
２６  蓄積指示フラグ
２７  蓄積番組情報
２８  送信開始時間
２９  送信終了時間
３０  操作情報名
３１  操作時間
３２  意味
３３  点数化指標
３４  指定シーン数
３５  該当指定シーン時間
【発明を実施するための最良の形態】
【００１８】  以下、本発明の実施の形態について、図１から図２４を用いて説明する。なお、本発明はこれら実施の形態に何ら限定されるものではなく、その趣旨を逸脱しない範囲において、種々なる態様で実施し得る。【００１９】  （実施の形態１）
図１は、本発明の第１の実施の形態にかかる連動表示システムの全体構成を示すブロック図である。この連動表示システムの全体構成としては、図２に示すように主表示装置である蓄積表示装置と、この蓄積表示装置から番組コンテンツを受信する副表示装置としての携帯情報端末Ａ，Ｂから構成される。このような構成形態に限定するものではなく、蓄積表示装置としては、据え置き型表示装置、ホームサーバ、ＨＤＤ型蓄積装置、ＤＶＤ型蓄積装置、ＰＶＲ、パソコン、ＨＤＤ付きＴＶ等、放送受信機能、蓄積機能及び表示機能が一体型あるいは個別の組合せ型であっても良い。また、副表示装置は、携帯情報端末、携帯電話、ＰＤＡ、パソコン、専用端末等いずれであっても良い。なお、本実施の形態では、主表示装置である蓄積表示装置としてＨＤＤを備えた据え置き型表示装置を、副表示装置として携帯情報端末を１例にして説明する。【００２０】  図１において据え置き型表示装置１の構成について説明する。この据え置き型表示装置１は、番組コンテンツ、およびインデックス情報、或いはトリガー情報などのメタデータを放送波やネットワークから受信する放送受信部１０１と、放送受信部１０１で受信した前記番組コンテンツを信号処理して表示手段側と蓄積手段側へ伝送する映像処理部１０２と、放送受信部１０１で受信したメタデータの内容を解析するメタデータ解釈部１０３と、番組コンテンツの蓄積処理、或いは再構成された番組コンテンツの送付処理を行なう蓄積映像処理部１０４と、番組コンテンツ或いはインデックス情報を格納する蓄積手段であるハードディスク（ＨＤＤ）１０５と、再構成された番組コンテンツを送るべき携帯情報端末の情報を管理する携帯情報端末管理部１０６と、映像処理部１０２から番組コンテンツの入力を受け表示する表示部１０７とから構成される。なお、図１において、一部信号線に付けられたアルファベット符号ａ，ｂ，ｃのうち、ａ（７ヶ所）は番組コンテンツが伝送される信号線、ｂ（２ヶ所）はインデックス情報が伝送される信号線、ｃ（３ヶ所）はトリガー情報が伝送される信号線をそれぞれ表す。【００２１】  ここで言う前記インデックス情報とは、番組のシーンを指定する情報であり、前記インデックス情報を指定することにより、該当番組の特定シーンを指定することができる。【００２２】  さらに、前記トリガー情報とは、携帯情報端末などへの番組の転送もしくは配信タイミングを指定すると共に配信する番組のシーンを指定することができる。前記番組のシーンを指定するために前記インデックス情報を指定することもできる。【００２３】  放送受信部１０１は、番組コンテンツやインデックス情報、トリガー情報を放送波やネットワークから受信する。ここで言う放送波やネットワークとはデジタル放送や衛星放送などの放送波やＡＤＳＬやＦＴＴＨなどの通信網などを指すネットワークを想定しているが、なんらこれに限定するものではない。【００２４】  映像処理部１０２は、放送受信部１０１で受信した前記番組コンテンツを表示部１０７に出力し表示させると共に視聴している番組コンテンツを蓄積映像処理部１０４へ出力する。また、視聴している番組コンテンツだけにこだわらず、ＨＤＤ１０５にすべての番組コンテ��ツまたは任意の番組コンテンツを蓄積するようにしてよい。また、放送されている番組コンテンツだけでなく、ＨＤＤ１０５に蓄積した番組コンテンツを視聴の際にも適応できる。【００２５】  さらに、事前にユーザから蓄積指示もしくは前記携帯情報端末での視聴指示を受け付け、前記据え置き型表示装置１での視聴の有無にかかわらず該当番組コンテンツを蓄積するようにしてもよい。【００２６】  メタデータ解釈部１０３は、放送受信部１０１によって受信した前記インデックス情報や前記トリガー情報などメタデータの入力を受け、入力が前記インデックス情報であれば、その内容からＨＤＤ１０５に蓄積されている該当番組コンテンツに紐付けて蓄積する。このインデックス情報の蓄積場所は、メタデータ解釈部１０３により記憶されることもできる。図５はインデックス情報のデータ一覧の例を示す図である。この図５から明らかなように、インデックス情報１０には、その内容を表示するデータとして、インデックス情報１０に対応する番組（或いはコンテンツ）を識別するための番組ＩＤ１１と、そのインデックス情報１０を識別するためのインデックスＩＤ１２と、「ｓｔａｒｔｔｉｍｅ」１３や「ｆｉｎｉｓｈｔｉｍｅ」１４などの各種データが含まれる。「ｓｔａｒｔｔｉｍｅ」１３は該当番組の開始時刻を表示するデータである。「ｆｉｎｉｓｈｔｉｍｅ」１４は該当番組の終了時刻を表示するデータである。なお、「ｆｉｎｉｓｈｔｉｍｅ」１４は、継続時間「ｄｕｒａｔｉｏｎ」としても良い。【００２７】  図６は、同じくインデックス情報１０の記述例を示す図である。この図６の例においてインデックス情報１０は、番組ＩＤである「ＣｏｎｔｅｎｔＩＤ」１１として“２００３０１０１１７００ＦＵＪＩ”の表示が記述され、インデックスＩＤ１２として“００１”が記述されている。また、「ｓｔａｒｔｔｉｍｅ」１３や「ｆｉｎｉｓｈｔｉｍｅ」１４などのインデックス情報１０の具体的な内容については、「ｓｔａｒｔｔｉｍｅ」１３として＜ｓｔａｒｔｔｉｍｅ＞２００３０１０１１９０３の表示が記述されているが、これは、２００３年１月１日１９時３分を表す。また、「ｆｉｎｉｓｈｔｉｍｅ」１４として＜ｆｉｎｉｓｈｔｉｍｅ＞２００３０１０１１９０７の表示が記述されているが、これは、２００３年１月１日１９時７分を表す。【００２８】  また、メタデータ解釈部１０３は、入力がトリガー情報であれば、その内容からまず、携帯情報端末管理部１０６へ予め設定されたモード情報の一致する携帯情報端末があるかを問い合わせる。携帯情報端末が存在すれば、該当するインデックスＩＤ１２のインデックス情報１０をＨＤＤ１０５から検索し、該当するインデックス情報１０と共に紐付けられた部分的な番組コンテンツを取り出し、携帯情報端末情報と共に蓄積映像処理部１０４へ送る。【００２９】  図７は、トリガー情報のデータ一覧の例を示す図である。この図７に示すように、トリガー情報１５には、そのトリガー情報１５に対応する番組（或いはコンテンツ）を識別するための番組ＩＤ１１と、そのトリガー情報１５を識別するためのモード情報１６と、指定されたインデックス情報１０を識別するための指定インデックスＩＤ１７（実質的にはイン���ックスＩＤ１２と同じである）と、そのトリガー情報１５の「ｔｏｔａｌｔｉｍｅ」１８が含まれる。また、前記トリガー情報１５では前記モード情報１６と前記指定インデックスＩＤ１７のみの構成として「ｔｏｔａｌｔｉｍｅ」を除いた構成としてもよい。【００３０】  図８は、同じくトリガー情報１５の記述例を示す図である。この図８の例において、トリガー情報１５は、番組ＩＤ１１として“２００３０１０１１７００ＦＵＪＩ”の表示が記述され、モード情報１６として“リプレイ”が記述されている。また、指定インデックスＩＤ１７としては、指定インデックス情報の合計数として“３”が記述され、その３個の指定インデックス情報のＩＤとしてＮｏ．１  ＩＤ＝“００１”，Ｎｏ．２  ＩＤ＝“０１１”，Ｎｏ．３  ＩＤ＝“０３５”が記述され、「ｔｏｔａｌｔｉｍｅ」１８として「００：０５：００」という具体的な内容が記述されている。【００３１】  ここで、メタデータ解釈部１０３における処理動作を図３に示された処理フローを用いて説明する。【００３２】  まず、メタデータ解釈部１０３は、放送受信部１０１から入力を受け付け、受け取った情報がインデックス情報１０を含む場合はインデックス情報１０を抽出する（Ｓ３０１）。次に、前記インデックス情報１０が示す該当番組コンテンツと紐付けて（関連付けて）ＨＤＤ１０５へ保存し（Ｓ３０２）、入力受付動作を終了する。【００３３】  また、受け取った情報がトリガー情報１５を含む場合は、トリガー情報１５を抽出する（Ｓ３０３）。そして、トリガー情報１５の中のモード情報を検出し、携帯情報端末管理部１０６へ該当モードを設定した携帯情報端末が存在するかを問い合わせ、該当携帯情報端末が存在しなければ処理を終了する（Ｓ３０４）。該当携帯情報端末が存在すれば、トリガー情報１５の中の指定インデックスＩＤ１７を基にインデックス情報１０を検出する（Ｓ３０５）。そして、検出したインデックス情報１０をもとにＨＤＤ１０５から検出したインデックス情報１０とともに番組コンテンツを抽出する（Ｓ３０６）。次に、番組コンテンツ及びインデックス情報はＨＤＤ１０５から直接蓄積映像処理部１０４に送り、トリガー情報１５を蓄積映像処理部１０４へ送り（Ｓ３０７）、一連の処理動作を終了する。【００３４】  蓄積映像処理部１０４は、映像処理部１０２から番組コンテンツの入力を受けた場合には番組ごとにＨＤＤ１０５へ番組コンテンツを蓄積する。また、蓄積映像処理部１０４は、メタデータ解釈部からトリガー情報１５、インデックス情報１０及び前記インデックス情報１０に紐付けられた部分番組コンテンツが入力した場合には、トリガー情報１５の内容（図７、図８）から部分コンテンツを並び替え、携帯情報端末へ再構成された番組コンテンツを送る。【００３５】  ここで、蓄積映像処理部１０４における処理動作を図４に示された処理フローを用いて説明する。【００３６】  まず、蓄積映像処理部１０４は、受け付けた入力を解析し、入力信号が映像処理部１０２からの入力であれば番組コンテンツの入力を受け付ける（Ｓ４０１）。次に、番組コンテンツをＨＤＤ１０５へ保存し（Ｓ４０２）、入力受付動作を終了する。【００３７】  入力信号がメタデータ解釈部１０３からの入力であれば、インデックス情報１０、トリガー情報１５の入力を受け付ける（Ｓ４０３）。次に、番組コンテンツとインデックス情報１０を紐付けて一時保存する（Ｓ４０４）。そして、トリガー情報１５中のインデックスの順序にインデックス情報１０を用いて番組コンテンツを並び替える（Ｓ４０５）。その後、携帯情報端末管理部１０６へ、並び替えた番組コンテンツを送信する携帯情報端末の状態の取得を要求し、携帯情報端末の情報を取得する（Ｓ４０６）。そして、該当携帯情報端末に合わせて番組コンテンツを再構成する（Ｓ４０７）。具体的にはフォーマットの変換、ファイルサイズの変更つまり、ビットレートの変更を行うことを想定している。その後、該当携帯情報端末へ再構成した番組コンテンツを送信し（Ｓ４０８）、一連の蓄積映像処理動作を終了する。【００３８】  また、蓄積映像処理部１０４からの指示で番組コンテンツを番組ごとに蓄積し、メタデータ解釈部１０３からの指示でインデックス情報１０を基に番組コンテンツを検索し、紐付けた形でＨＤＤ１０５に蓄積する。また、蓄積映像処理部１０４は、トリガー情報１５を元にインデックス情報１０を検索し、そのインデックス情報１０に紐付けられた番組コンテンツを検索して出力する。【００３９】  また、番組コンテンツなどの蓄積手段（ＨＤＤ１０５）は、ＨＤＤに限定されるものではなく他の記憶媒体（例えば、光ディスク、ＤＶＤなど）で蓄積領域を持っているものであればよく、また、据え置き型表示装置１内に存在している必要はない（据え置き型表示装置１の外部に付設されていてもよい）。【００４０】  携帯情報端末管理部１０６は、携帯情報端末Ａからの接続要求を受け付け、コネクションを張り、さらに携帯情報端末Ａの情報（管理情報）を保存、管理する。携帯情報端末管理部１０６は、メタデータ解釈部１０３からの携帯情報端末情報問い合わせ要求、前記蓄積映像処理部１０４からの携帯情報端末Ａの能力及びコネクション情報の問い合わせ要求に答える。図９は携帯情報端末Ａの管理情報の一例を示す図である。この図９に示すように、携帯情報端末の管理情報１９には、その携帯情報端末の端末ＩＤ２０、所有者の氏名２１、接続状況がＯＮかＯＦＦかの情報２２、使用者の氏名２３、その携帯情報端末の性能（或いは機能）２４、モード情報２５、といった各種情報が含まれている。【００４１】  表示部１０７は、映像処理部１０２から番組コンテンツの入力を受け表示する。なお、表示部１０７は据え置き型表示装置１と一体である必要はなく、複数人で見るような家族の中心にあるような表示装置を想定しているが特に限定するものではない。【００４２】  次に、携帯情報端末Ａについて図１を用いて説明する。携帯情報端末Ａは、据え置き型表示装置１の蓄積映像処理部１０４からの入力を再構成された番組コンテンツの入力を受け付け、表示部１０９へ送る受信部１０８と、受信部１０８から再構成された番組コンテンツを受け取り表示させる表示部１０９と、タッチパネルなどの入力手段からの入力を認識し指示部１１１へ送る認識部１１０と、認識部１１０からの入力情報及び接続情報また、端末情報（図９）などを携帯情報端末管理部１０６へ送る指示部１１１とか��構成される。【００４３】  以上のように構成された連動表示システムの動作について、プロ野球中継を例に説明する。連動表示システムの構成例としては、図２のように据え置き型表示装置１に２台の携帯情報端末Ａ、Ｂが存在する状況を想定する。【００４４】据え置き型表示装置１を複数人の視聴者がリアルタイムで放送中の番組を視聴し、視聴者の内、２人が携帯情報端末をそれぞれ持っているものとする。また、携帯情報端末Ａを保持している視聴者はプロ野球中継を番組開始から視聴しているものとし、携帯情報端末Ｂを保持している視聴者はプロ野球中継の番組放送中から視聴を開始するものとする。【００４５】まず、携帯情報端末Ａの指示部１１１からの接続要求が据え置き型表示装置１の携帯情報端末管理部１０６に送られコネクションの確立が行われ端末情報が送られる。その後、携帯情報端末Ａの認識部１１０によりリプレイモードの選択が行われ、指示部１１１よりモード情報が「リプレイ」として送られ、携帯情報端末管理部１０６にて保管される。【００４６】  そして据え置き型表示装置１でプロ野球中継を視聴する。その時映像処理部１０２は蓄積映像処理部１０４へ視聴中のプロ野球中継を蓄積するように送る。そして蓄積映像処理部１０４はＨＤＤ１０５にプロ野球中継の保存場所を確保しＨＤＤ１０５に保存を開始する。また、プロ野球中継の番組コンテンツと同時に送られてくるインデックス情報１０がメタデータ解釈部１０３に送られＨＤＤ１０５内のプロ野球中継の番組コンテンツに紐付けて保存される。【００４７】  そして、打順が一巡以上したところで現在の番組コンテンツにあわせて放送受信部１０１に番組コンテンツやインデックス情報１０と同時にトリガー情報１５が送られてくる。送られてきたトリガー情報１５は、メタデータ解釈部１０３にて解釈され、トリガー情報１５が現在視聴中の番組のものであることを確認後、モード情報が「リプレイ」モードであることを読み取る。そしてメタデータ解釈部１０３は、携帯情報端末管理部１０６へ同様モードを選択した携帯情報端末があるかを問い合わせ携帯情報端末Ａが該当することがわかる。【００４８】  そこで、メタデータ解釈部１０３は、メタデータ（インデックス情報、トリガ情報）の内容（図６、図８）のインデックスＩＤ指定情報からＨＤＤ１０５を検索し、インデックス情報１０を抽出しそのインデックス情報１０に紐付けられたプロ野球中継の一部分を抜き出してトリガー情報１５及び携帯情報端末Ａであることを含めて蓄積映像処理部１０４へ送る。【００４９】  蓄積映像処理部１０４は、メタデータ解釈部１０３からの入力を受け、まずトリガー情報１５の指定インデックスＩＤの順に番組コンテンツ（プロ野球中継の一部分）を並び替える。例えば、図８のトリガー情報１５の例では、指定インデックスＩＤとしてＮｏ．１  ＩＤ＝“００１”，Ｎｏ．２  ＩＤ＝“０１１”，Ｎｏ．３  ＩＤ＝“０３５”の順で並び替える。その後、蓄積映像処理部１０４は、携帯情報端末管理部１０６へ該当携帯端末Ａの情報を問い合わせ、携帯情報端末に合わせてストリームを加工する。例えば、図９に示す携帯端末管理情報の場合は、表示サイズ＝２．５、解像度＝３４５×４５６、ｅｎｃｏｄｅ＝ｍ��ｅｇ４に合わせてストリームを加工する。そして、蓄積映像処理部１０４は、端末情報に従って携帯情報端末Ａへストリームを送る。携帯情報端末Ａでは、送られてきたストリームを受信部１０８で受け、表示部１０９で表示する。よってユーザは、特別な操作なしに据え置き型表示装置１で打者Ｃが打席に立とうとすると打者Ｃの今日の前の打席の映像が加工されて携帯情報端末から視聴できる。【００５０】  また、携帯情報端末Ｂを所持しているユーザが番組の途中から参加したいと思ったと想定する。そこで携帯情報端末Ａの場合と同様に、携帯情報端末Ｂの指示部１１１からの接続要求が据え置き型表示装置１の携帯情報端末管理部１０６に送られコネクションの確立が行われ端末情報が送られる。ただ、携帯情報端末Ｂのユーザは途中から見るのでまず、これまでのハイライトが見たいと思いモード情報を「ハイライト」モードに設定し、携帯情報端末管理部１０６に設定する。そして、定期的に送られてくる「ハイライト」モードのトリガー情報１５が据え置き型表示装置１の放送受信部１０１に送られてくるとメタデータ解釈部１０３は携帯情報端末管理部１０６に問い合わせると該当携帯情報端末（携帯情報端末Ｂである）が存在する。該当携帯情報端末に存在するためにメタデータ解釈部１０３は、「リプレイ」モードと同様に動作し番組コンテンツを抽出し蓄積映像処理部１０４へ送る。蓄積映像処理部１０４でも基本的には「リプレイ」モードと同様に動作する。【００５１】  以上のように、トリガー情報の受信を配信タイミングとして、トリガー情報に含まれる指定部分番組コンテンツの抽出、再構成、携帯情報端末への配信を行うことにより、ユーザは副表示装置でリアルタイム放送を用い、現在のリアルタイム放送に連動した情報を視聴することが出来る。【００５２】  また、ユーザは途中から参加してもすぐにこれまでのハイライトが楽しめ、現在の試合状況に追いつくことが出来る。しかも携帯情報端末でハイライトを視聴するため他のユーザに迷惑をかけることもない。そして、途中でもモード変更は可能なため携帯情報端末Ｂのユーザはハイライトを視聴後リプレイモードに変更し、さらにプロ野球中継を楽しむことが出来る。【００５３】  また、据え置き型表示装置の表示部１０７もしくは携帯情報端末の表示部１０９の画面上にトリガー情報が到着した旨とその内容を表示するようにし、ユーザに提示し、それをトリガーに携帯情報端末のモードを変更しても良い。【００５４】  （実施の形態２）
本発明の実施の形態２にかかる連動表示システムの全体構成は、実施の形態１の図１と同様である。ただし、本発明の実施の形態２は、放送受信部１０１への入力が番組コンテンツ、インデックス情報、トリガー情報に加えて番組コンテンツのデータを含んだ番組情報（信号線ｄ）を受信する。【００５５】  そこで、番組情報に特化して連動表示システムの動作を説明する。番組情報は、放送受信部１０１からメタデータ解釈部１０３へ送られる。メタデータ解釈部１０３では、携帯情報端末管理部１０６へ接続されている携帯情報端末があるかを問い合わせ、接続されている携帯情報端末があれば番組情報を解釈し、表示用に加工する。そして加工された番組情報は、蓄積映像処理部１０４へ送られる。蓄積映像処理部１０４では、携帯情報端末管理部１０６へ問い合わせ、接続された携帯情報端末の情報を入手し、携帯情報端末に合わせて加工する。そしてトリガー情報による番組コンテンツが携帯情報端末に現在送られていないことを確認し、加工された番組情報をその携帯情報端末へ送信する。また、番組コンテンツが携帯情報端末に送られている場合には画面の一部に出すようにさらに番組コンテンツと番組情報を加工し送信する。【００５６】  なお、番組情報３６とは、図２５に示すように番組データに対する詳細情報やロケーションが記述されたものであり、番組コンテンツを識別する番組ＩＤ１１、サービスを行う事業者や放送局を識別するサービスＩＤ（チャンネル）３７、開始時間３８、時間の長さを表す時間（ｄｕｒａｔｉｏｎ）３９、番組コンテンツのタイトル４０、番組コンテンツの内容を示すキーワード４１、出演者４２、番組コンテンツのジャンル４３、シリーズの回数４４、１８才以下禁止等の視聴制限４５、本発明が開示する主表示装置と副表示装置による連動視聴サービスに対応する番組かどうかを表す連動視聴サービス４６及び前記番組が対応するモード情報を一覧で表すモード一覧情報１６等から構成されている。
また、現在デジタル放送などで使用されているＳＩ情報や、サーバ型放送で規定されているＰｒｏｇｒａｍＩｎｆｏｍａｔｉｏｎなどを指しているが、特に限定するものではない。【００５７】  また、番組情報にモード一覧情報１６を付与し、携帯情報端末とのコネクションが張られた時点で番組情報と同様に送ることにより、利用可能なモード情報をユーザに知らせ選択させることが出来る。これにより番組にあったモード情報を選択し、該当モード情報のトリガー情報を元に抽出した番組にあった部分番組コンテンツを視聴することができる。つまり、番組ごとに異なるモード情報が存在し、ユーザは番組ごとに選択し、該当モード情報をもつトリガー情報の受信により、部分番組コンテンツを携帯情報端末で視聴することができる。図１５は携帯情報端末におけるモード一覧情報の提示例を示す図である。この図１５から明らかなように、動作モードとして、連動再生、リプレイ再生、ハイライト再生、追っかけ再生、個人ＣＭ再生、前回ハイライト、その他のモードなどがあるがこれは視聴する番組により自由に設定でき、なんら限定するものではない。【００５８】  さらに、番組情報に付与するモード情報を事前にＥＰＧ（Ｅｌｅｃｔｒｏｎｉｃ  Ｐｒｏｇｒａｍ  Ｇｕｉｄｅ）などと同様に配信し、据え置き型表示装置に蓄積しておき、番組開始前に携帯情報端末とのコネクションが張られた時点で携帯情報端末に番組ガイドの１つとして配信し、予約することもできる。もちろん、据え置き型表示装置で番組ガイドの１つとして番組開始前に予約することもできる。【００５９】  以上説明したように、ユーザは選択したモード映像が送られてくる以外に番組情報をも楽しむことができる。また、番組制作者は番組ごとにモード情報の設定を行えるため、配信番組に合致したモード映像を提供でき、ユーザは、より番組に合致した視聴を行うことが出来る。【００６０】  （実施の形態３）
図１０は本発明の実施の形態３にかかる連動表示システムの全体構成を示すブロック図である。この連動表示システムの構成は、基本的には実施の形態１と同様であるが、図１０に示すようにメタデータ解釈部１００３から映像処理部１００２へ処理命令が送信される（信号線ｅ）ところが異なる。【００６１】  さらに、本発明の実施の形態３は、トリガー情報に蓄積指示情報、蓄積番組情報、送信時間などを加えたものである。さらに視聴用の番組コンテンツ以外に視聴中の番組コンテンツに関連のある関連コンテンツも入力し明示的に蓄積する。【００６２】  ここでは、トリガー情報と関連コンテンツに特化して動作を説明する。例として連続ドラマの視聴中を想定する。上記実施の形態１、２と同様にドラマを据え置き型表示装置１で視聴しているものとする。ドラマの視聴開始と同時にトリガー情報が送られメタデータ解釈部１００３では蓄積指示フラグが立っていることと蓄積番組情報の送信開始時刻を確認し映像処理部１００２へ送る。【００６３】  図１１は、本実施の形態３で用いられるトリガー情報のデータ一覧の例を示す図であり、図１２は同じく本実施の形態３で用いられるトリガー情報の記述例を示す図である。これらの図１１、図１２の内容は基本的には図７、図８に関連して上述したトリガー情報の内容と同様であるが、データの構造は図１１、図１２の方が多くの情報を含んでいる。すなわち、図１１から明らかなように、トリガー情報には、そのトリガー情報に対応する番組（或いはコンテンツ）を識別するための番組ＩＤ１１と、そのトリガー情報を識別するためのモード情報１６と、指定されたインデックス情報を識別するための指定インデックスＩＤ１７と、番組コンテンツの蓄積を指示する蓄積指示フラグ２６、蓄積される番組についての情報を示す蓄積番組情報２７と、その番組の送信が開始される送信開始時刻２８と、その番組の送信が終了する送信終了時刻２９を表示するデータが含まれる。【００６４】  トリガー情報の記述例を示す図である図１２の例において、トリガー情報１５は、番組ＩＤ１１として“２００３０１０１１７００ＦＵＪＩ”の表示が記述され、モード情報１６として“蓄積”が記述されている。また、指定インデックスＩＤ１７としては、指定インデックス情報のＩＤとしてＮｏ．１  ＩＤ＝“９９９”が記述されている。また、「ｔｏｔａｌｔｉｍｅ」として「００：０５：００」が記述されている。さらに、蓄積情報に関して、蓄積指示フラグ２６としては“ＯＮ”が記述され、蓄積番組情報２７としては、蓄積情報ＩＤが“ｅｘ００１”でその内容は「１０話ハイライト」が記述されている。さらにまた、送信開始時刻２８としては“２００３０１０１１７００”が記述され、送信終了時刻２９としては、“２００３０１０１１７０８”が記述されている。【００６５】  蓄積指示用のトリガー情報は送信開始時刻まで繰り返し送られるものとする。映像処理部１００２では、受け取ったトリガー情報により、蓄積予約として、蓄積番ＩＤ及び送信時間を記憶する。送信開始時刻がくれば映像処理部１００２は関連コンテンツを認識し、蓄積映像処理部１００４へ送る。蓄積映像処理部１００４では入力した関連コンテンツをＨＤＤ１００５に蓄積する。この例では関連コンテンツは前回のハイライトであり、オープニングテーマの流れているときに流すものとする。よって別のトリガー情報が据え置き型表示装置１に表示されると同時に送られてくる。送られてきたトリガー情報は蓄積されたばかりの関連コンテンツをＨＤＤ１００５から読み出し共に蓄積映像処理部１００４へ入り、蓄積映像処理部１００４では携帯情報端末管理部１００６に接続している携帯情報端末を問い合わせ前携帯情報端末用に関連コンテンツを加工しながら送信する。また、ここでは実施の形態２と同様にモード情報に「関連コンテンツ」というモード情報を加えることによってモード選択させ蓄積、送信共に前記実施の形態のようにモード情報との照合を行うようにしてもよい。つまり、ユーザに確認をとった上で蓄積、送信を実行してもよい。【００６６】  以上のように、ユーザは毎回同様のオープニングテーマ時に前回のハイライトを見ることが出来る。また、同様の形態でＣＭ時に他の関連コンテンツを視聴することも可能になる。【００６７】  （実施の形態４）
図１３は本発明の実施の形態４にかかる連動表示システムの全体構成を示すブロック図である。この連動表示システムの構成は、基本的には実施の形態１乃至実施の形態３と同様であるが、図１３に示すように据え置き型表示装置１の携帯情報端末管理部１３０６から携帯情報端末の受信部１３０８へメタデータが送られる（信号線ｆ）点が異なる。さらに、携帯情報端末からのメタデータ伝送によって携帯情報端末でのビデオ操作メニューを実現する。具体的な動作を説明する。【００６８】  まず、本発明の実施の形態２と同様に携帯情報端末からの接続要求時に携帯情報端末の情報（管理情報）を携帯情報管理部１３０６で取得する。図１４は携帯情報端末の管理情報の一覧を示す図である。この図１４から明らかなように、携帯情報端末の管理情報１９には、その携帯情報端末の端末ＩＤ２０、所有者の氏名２１、接続状況がＯＮかＯＦＦかの情報２２、使用者の氏名２３、その携帯情報端末の性能（或いは機能）２４、モード情報２５、操作情報３０、３１といった各種情報が含まれている。携帯情報端末の情報（管理情報）を取得した時、携帯情報端末管理部１３０６は携帯情報端末に合わせたビデオ操作メニュー用のメタデータを携帯情報端末へ送り、デフォルト表示とする。具体的にはタッチパネルの機器にはディスプレイ下部にいわゆるメディアプレイヤーのようなＧＵＩ環境を提供し、十字キーの機器にはディスプレイ下部に選択メニュー形式で表示する。また、そのメタデータにはその表示が選択された場合に引数を持ったコマンドが携帯情報端末へ伝送されるようにメタデータを埋め込む。用意するコマンドは再生、停止、一時停止、早送り、巻き戻しなどを想定しているが特に限定しない。【００６９】  図１５は上述した通り、携帯情報端末におけるモード一覧提示例を示す図で、連動再生、リプレイ再生等の操作可能なモード情報を表示する。図１６は一例として、携帯情報端末におけるトリックプレイの提示例を示す図であり、再生５０、停止５１、早送り５３、巻き戻し５２の選択メニューを例示している。図１７は携帯情報端末におけるメニューの提示例を示す図である。例としてハイライトモードにより携帯情報端末で映像が流れている状況で停止５０が選択された場合を想定する。停止５０が選択されると携帯情報端末の認識部１３１０でメタデータが解釈され指示部１３１１を経て機器ＩＤ２０などが加えられ据え置き型表示装置１の携帯情報端末管理部１３０６へＳＴＯＰコマンドと機器ＩＤなどが送られる。携帯情報端末管理部１３０６はコマンドと機器ＩＤ２０を認識し、蓄積映像処理部１３０４へ送信停止を指示する。蓄積映像処理部１３０４は送信を停止し、ＳＴＯＰコマンドなので送る予定のストリームは削除する。【００７０】  また、別の例としてリプレイモードにより携帯情報端末で映像が流れている状況で巻き戻し５２が選択された場合について説明する。巻き戻し５２が選択されると携帯情報端末の認識部１３１０でメタデータが解釈され指示部１３１１を経て機器ＩＤ２０などが加えられ据え置き型表示装置１の携帯情報端末管理部１３０６へＲＥＷコマンド、巻き戻し時間、機器ＩＤ２０などが送られる。携帯情報端末管理部１３０６はコマンドと機器ＩＤ２０を認識し、蓄積映像処理部１３０４へ送信停止及び映像コンテンツの再構成を指示する。蓄積映像処理部１３０４はコマンドと巻き戻し時間などから再び映像コンテンツを抽出し、再構成を行い送信する。そのためトリガー情報及びインデックス情報などは配信終了まで保管しておく。よってさらなるビデオメニューにも対応することが出来る。以上によってユーザはストリーミングなど配信方法に関わらずビデオメニューを利用することが出来る。【００７１】（実施の形態５）
本発明の実施の形態５にかかる連動表示システムの全体構成は第１の実施の形態と同様である。ただ、本発明の実施の形態５は放送受信部１０１へ入力するインデックス情報、トリガー情報の内容が実施の形態１の情報よりさらに増えているものである。【００７２】  本実施の形態では、情報携帯端末に表示する番組コンテンツの生成に特化して連動表示システムの動作を説明する。インデックス情報には、実施の形態１のデータ内容（図５、図６）に追加して意味情報３２を組み込む（図１９、図２０）。「意味情報」とは、インデックスが指定しているコンテンツの内容をキーワードレベルで記述したものである。この意味情報３２は、階層化されていてもよい。また、トリガー情報には、実施の形態１のデータ内容（図７、図８）に追加して意味情報３２と点数化指標情報３３を加える（図２１、図２２）。
放送受信部１０１に入力したインデックス情報は、メタデータ解釈部１０３で実施の形態１と同様、ＨＤＤ１０５へ番組コンテンツと紐付けて蓄積される。放送受信部１０１に入力したトリガー情報は、メタデータ解釈部１０３で実施の形態１と同様に携帯情報端末管理部１０６からの情報を使って判断し、番組コンテンツを抽出し、番組コンテンツ、インデックス情報、トリガー情報を蓄積映像処理部１０４へ送る。【００７３】  蓄積映像処理部１０４での蓄積映像処理動作について、図１８のフロー図を用いて説明する。【００７４】  まず、受け付けた入力を解析し、入力信号が映像処理部１０２からの入力であれば、番組コンテンツの入力を受け付ける（Ｓ１８０１）。次に、番組コンテンツをＨＤＤ１０５へ保存し（Ｓ１８０２）、入力受付処理を終了する。【００７５】  入力信号がメタデータ解釈部１０３からの入力であれば、インデックス情報、トリガー情報の入力を受け付ける（Ｓ１８０３）。次に番組コンテンツとインデックス情報を紐付けて（関連づけて）一時保存する（Ｓ１８０４）。【００７６】  そしてトリガー情報１５中の指定インデックスＩＤ１７を用いて番組コンテンツを並び替える（Ｓ１８０５）。次に、抽出したインデックス情報１０のｓｔａｒｔｔｉｍｅ１３とｆｉｎｉｓｈｔｉｍｅ１４を用いて全番組コンテンツの時間を計算し、トリガー情報１５のｔｏｔａｌｔｉｍｅ１８と比較する（Ｓ１８０６）。次に、トリガー情報１５のｔｏｔａｌｔｉｍｅ１８よりインデックス情報からのトータル時間の方が長ければステップＳ１８０７へ進み、短ければステップＳ１８０９へ進む。【００７７】  ステップＳ１８０７へ進んだ場合は、インデックス情報１０中の意味情報３２をトリガー情報１５の点数化指標３３を用いて点数化する（Ｓ１８０７）。トリガー情報１５の点数化指標３３は、前記意味情報を番組コンテンツの重要度に応じて重みを指数化したもので、重要なほど大きな数値を与えるように意味情報３２を点数化する。次に、インデックスの点数の低い番組コンテンツから削除する（Ｓ１８０８）。次に、削除するたびに残りの全番組コンテンツの時間を計算し、トリガー情報１５のｔｏｔａｌｔｉｍｅ１８と比較し、トリガー情報１５のｔｏｔａｌｔｉｍｅ１８の方が長くなるまでステップＳ１８０６、ステップからＳ１８０８を繰り返す。トリガー情報１５のｔｏｔａｌｔｉｍｅ１８の方が長くなればステップＳ１８０９へ進む。【００７８】  ステップＳ１８０９へ進んだ場合は、携帯情報端末管理部１０６へ送信する携帯情報端末の状態の取得を要求し、携帯情報端末の情報を取得する（Ｓ１８０９）。そして、該当携帯情報端末に合わせて番組コンテンツを再構成する（Ｓ１８１０）。具体的にはフォーマットに変換、ファイルサイズの変更つまり、ビットレートの変更を行うことを想定している。【００７９】  次に、該当携帯情報端末へ再構成した番組コンテンツを送信し（Ｓ１８１１）、一連の蓄積映像処理動作を終了する。【００８０】  また、トリガー情報１５の意味情報３２、モード情報１６、インデックス情報１０の意味情報３２のうちの任意の情報を用いてスーパーインポーズ情報を生成して、携帯情報端末に送る番組コンテンツに表示してもよい。��こで、スーパーインポーズ情報とは、ビデオ編集の特殊効果の１つで、コンテンツなどを表示している画面に、文字や切り抜いた別の画像（上記意味情報などで生成したもの）を表示するための情報をいう。表示の仕方としては画面の左上などに文字情報としてモード情報、トリガー情報の意味情報を提示し番組コンテンツ再生中の常時提示し、表示しているインデックス情報に合わせてインデックス情報の意味情報を上記モード情報などと並べて表示することを想定しているが、特に限定するものではない。【００８１】  （実施の形態６）
本発明の実施の形態６にかかる連動表示システムの全体構成は実施の形態１と同様である。ただし、図２に示すように実施例として、据え置き型表示装置１をホームサーバとし、携帯情報端末を外出先で利用する方法について説明する。【００８２】  据え置き型表示装置１は、放送番組をすべて蓄積しているか、もしくは実施の形態２のように番組情報に付与されるモード情報を事前に蓄積しておき、携帯情報端末から視聴する番組を予約する。つまり、ユーザが携帯情報端末で視聴する番組を据え置き型表示装置１に蓄積することが予約する。したがって、据え置き型表示装置１は、番組開始から番組コンテンツ及びインデックス情報、トリガー情報、番組情報を蓄積する。そして、該当番組放送開始前もしくは放送中に携帯情報端末は据え置き型表示装置１にコネクションを張り、モード情報の付与された番組情報を受信し、該当モード情報を据え置き型表示装置１に登録する。よって、ユーザは該当モード情報を登録することにより、外出先から該当番組の注目シーンなど各モード情報に対応するハイライトシーンやリプレイシーンなどポイントの場面を携帯情報端末で視聴することができる。【００８３】  また、トリガー情報を図７、８のトリガー情報と比較して、図２３、２４のように指定シーン数３４及び該当指定シーン時間３５を記述できるようにする。該当指定シーン時間３５は該当部分番組コンテンツの開始時間（ｓｔａｒｔｔｉｍｅ）と長さ（ｄｕｒａｔｉｏｎ）を指定する。前記開始時間は番組開始からの時間である。【００８４】これにより、実施の形態１ではトリガー情報１５で抽出する部分番組コンテンツを指定する場合に指定インデックスＩＤ１７を指定し、該当するインデックス情報１０が番組コンテンツの部分を指定していたため、インデックス情報１０が必須となっていたが、トリガー情報１５で指定インデックスＩＤ１７ではなく、指定シーン数と該当指定シーン時間を指定することにより、インデックス情報１０がなくともトリガー情報１５で該当部分番組コンテンツを抽出できる。つまり、リアルタイム放送受信時は番組コンテンツをそのまま蓄積しておき、トリガー情報受信時に、トリガー情報をもとに直接番組コンテンツを抽出し、携帯情報端末に送ることができる。【００８５】本発明は、図面に示す好ましい実施例に基づいて説明されてきたが、当業者であれば、この発明を容易に変更及び改変し得る事は明らかであり、そのような変更部分も発明の範囲に含まれるものである。
【産業上の利用可能性】
【００８６】本発明にかかる連動表示システムは、放送番組にインデックス情報やトリガー情報が付与され、ユーザが個人利用のディスプレイを所持している状況での放送番組サービス等において有用である。個人利用のディスプレイとしては、携帯情報端末、携帯電話、ＰＤＡなどを使用することもでき、遠隔地にいても通信を利用して送付することができる。
【図１】
0004550809.tif 000002
【図２】
0004550809.tif 000003
【図３】
0004550809.tif 000004
【図４】
0004550809.tif 000005
【図５】
0004550809.tif 000006
【図６】
0004550809.tif 000007
【図７】
0004550809.tif 000008
【図８】
0004550809.tif 000009
【図９】
0004550809.tif 000010
【図１０】
0004550809.tif 000011
【図１１】
0004550809.tif 000012
【図１２】
0004550809.tif 000013
【図１３】
0004550809.tif 000014
【図１４】
0004550809.tif 000015
【図１５】
0004550809.tif 000016
【図１６】
0004550809.tif 000017
【図１７】
0004550809.tif 000018
【図１８】
0004550809.tif 000019
【図１９】
0004550809.tif 000020
【図２０】
0004550809.tif 000021
【図２１】
0004550809.tif 000022
【図２２】
0004550809.tif 000023
【図２３】
0004550809.tif 000024
【図２４】
0004550809.tif 000025
【図２５】
0004550809.tif 000026